(57)【要約】【課題】下枠連結作業の作業性向上を図ることができる雨戸付き連窓サッシを提供すること。【解決手段】建物の支持材１両側に設けられるサッシ２と、これらのサッシ２の下枠４同士を連結する連結装置１０とを備え、連結装置１０が主下枠１１と、この主下枠１１の上側に雨戸走行方向にスライド自在に取り付けられた２つの副下枠１２とを有し、主下枠１１に雨戸の戸車を案内する戸車案内部１１３が設けられているので、連結装置１０をサッシ２の下枠４に取り付けて下枠４同士を連結する際に、分解する必要がなく、一体に組み立てられた状態のままで取付作業を実施することができ、連結作業の作業性を向上させることができる。【選択図】  図１
2004293250.tif 000002
【特許請求の範囲】
【請求項１】
建物の支持材両側に設けられるサッシと、これらのサッシに跨って走行可能に構成された雨戸とを備えた雨戸付き連窓サッシであって、
前記両側のサッシの下枠間には、当該下枠同士を連結するとともに、前記雨戸を案内する連結装置が設けられ、
前記連結装置は、前記躯体の外側で前記雨戸の走行経路上に設けられた主下枠と、この主下枠の上側において前記雨戸の走行方向に沿ってスライド自在に取り付けられた２つの副下枠とを備え、
前記主下枠には、前記雨戸の戸車を案内する戸車案内部が設けられ、この戸車案内部は、前記走行方向について、前記サッシの下枠側にスライドさせた前記２つの副下枠同士の間隔距離よりも長く形成されている雨戸付き連窓サッシ。
【請求項２】
前記連結装置の２つの副下枠は、前記サッシの下枠の上側に重なって延び、かつ当該サッシの下枠に固定される延出面部を有し、この延出面部の上面に沿って前記雨戸の戸車が転動可能に構成されている請求項１に記載の雨戸付き連窓サッシ。
【請求項３】
建物の支持材両側に設けられるサッシと、これらのサッシに跨って走行可能に構成された雨戸とを備えた雨戸付き連窓サッシであって、
前記両側のサッシの下枠間には、当該下枠同士を連結するとともに、前記雨戸を案内する連結装置が設けられ、
前記連結装置は、前記躯体の外側で前記雨戸の走行経路上に設けられた主下枠と、この主下枠の上側において前記雨戸の走行方向に沿ってスライド自在に取り付けられた２つの副下枠と、これら２つの副下枠に対応して前記主下枠の下側に取り付けられた２つの裏板材とを備え、
前記主下枠には、前記雨戸の戸車を案内する戸車案内部が設けられ、この戸車案内部は、前記走行方向について、前記サッシの下枠側にスライドさせた前記２つの副下枠同士の間隔距離よりも長く形成され、
前記２つの副下枠は、前記サッシの下枠の上側に重なって延び、当該サッシの下枠に固定される延出面部を有し、この延出面部の上面に沿って前記雨戸の戸車が転動可能に構成され、
前記裏板材は、前記副下枠のスライドに伴ってスライド可能で、かつ前記サッシ同士の間隔部分を通過可能な初期位置から、当該サッシの下枠の下側に重なる位置に向かって回動可能に構成され、
前記副下枠の延出面部、前記サッシの下枠、および前記裏板材をねじ止めすることで、前記連結装置が前記サッシの下枠に固定されている雨戸付き連窓サッシ。
【請求項４】
前記サッシの下枠には、戸車案内用のレールが立設されており、
前記連結装置の主下枠に設けられた戸車案内部は、前記レールと同一直線上で、かつ、略同一形状に形成され、前記副下枠の延出面部は、前記レールの当該連結装置側の端縁位置よりも前記サッシの内部側まで延出されている請求項２または請求項３に記載の雨戸付き連窓サッシ。
【請求項５】
前記連結装置の主下枠は、前記サッシの下枠の下側に重なるだけの見付け方向長さ寸法を有し、このサッシの下枠との重なり部分に前記走行方向に沿った長孔が設けられている請求項１ないし請求項４のいずれかに記載の雨戸付き連窓サッシ。
【請求項６】
前記連結装置の主下枠および副下枠のうちの少なくとも一方には、前記支持材に向かって延出し、当該支持材に固定される固定部が設けられている請求項１ないし請求項５のいずれかに記載の雨戸付き連窓サッシ。
【発明の詳細な説明】
【０００１】
【発明の属する技術分野】
本発明は、雨戸付き連窓サッシに関する。詳しくは、建物の柱等の両側に設けられた連窓サッシにおいて、両側のサッシに跨って走行可能な雨戸を有する雨戸付き連窓サッシに関する。
【０００２】
【背景技術】
従来より、連窓サッシにおける窓下枠を連結し、連窓サッシ間に跨って走行可能な雨戸を有する雨戸付きの連窓サッシが提案されている（例えば、特許文献１参照）。特許文献１に記載された連窓サッシでは、両側のサッシの下枠同士が２つの補助下枠と、これらの補助下枠を連結する連結部材とで連結され、これらの上側に一対の補助レールを有するレール部材が取り付けられている。これら各部材の取り付け方法としては、先ず、両側のサッシ下枠間において、２つの補助下枠を見付け方向にスライドさせて位置決めし、連結部材で固定するとともに、これらをサッシ下枠および躯体に取り付ける。そして、一対の補助レールを両側のサッシ下枠に設けられた戸ガイド用のレールに連続するように位置調節してから、レール部材を補助下枠に固定する。このように連結された連窓サッシでは、補助下枠およびレール部材が位置調整可能なので、柱の幅寸法が異なっても、サッシの下枠同士を隙間なく、かつレールを連続させて取り付けることができるようになっている。
【０００３】
【特許文献１】
特許第２５８６８８２号公報
【０００４】
【発明が解決しようとする課題】
しかしながら、特許文献１に記載の連窓サッシでは、補助下枠および連結部材と、レール部材とが別々に取り付けられるため、これらを一体に組み立てた状態で搬入しても、一度分解してから、再度組み立てながらサッシに取り付けなければならず、下枠の連結作業に手間が掛かるという問題がある。
【０００５】
本発明の目的は、下枠連結作業の作業性向上を図ることができる雨戸付き連窓サッシを提供することにある。
【０００６】
【課題を解決するための手段】
本発明の雨戸付き連窓サッシは、建物の支持材両側に設けられるサッシと、これらのサッシに跨って走行可能に構成された雨戸とを備えた雨戸付き連窓サッシであって、前記両側のサッシの下枠間には、当該下枠同士を連結するとともに、前記雨戸を案内する連結装置が設けられ、前記連結装置は、前記躯体の外側で前記雨戸の走行経路上に設けられた主下枠と、この主下枠の上側において前記雨戸の走行方向に沿ってスライド自在に取り付けられた２つの副下枠とを備え、前記主下枠には、前記雨戸の戸車を案内する戸車案内部が設けられ、この戸車案内部は、前記走行方向について、前記サッシの下枠側にスライドさせた前記２つの副下枠同士の間隔距離よりも長く形成されていることを特徴とする。
【０００７】
このような本発明によれば、連窓サッシの下枠同士を連結する連結装置の主下枠に戸車案内部を設けるとともに、この主下枠に２つの副下枠をスライド自在に取り付けたので、連結装置をサッシの下枠に取り付けて下枠同士を連結する際に、連結装置を分解する必要がなく、一体に組み立てられた状態のままで取付作業を実施することができ、連結作業の作業性を向上させることができる。
また、２つの副下枠をスライドさせても、これらと戸車案内部とが見込み方向に重なっているので、スライドさせる際に副下枠が戸車案内部に案内され、見込み方向にずれることがなく、副下枠の位置調節を容易かつ確実に実施することができる。
【０００８】
この際、本発明の雨戸付き連窓サッシでは、前記連結装置の２つの副下枠は、前記サッシの下枠の上側に重なって延び、かつ当該サッシの下枠に固定される延出面部を有し、この延出面部の上面に沿って前記雨戸の戸車が転動可能に構成されていることを特徴とする。
このような構成では、サッシの下枠上側に重なって延びた連結装置の副下枠の延出面部上面に沿って雨戸の戸車が転動可能なので、サッシ下枠に沿って転動してきた戸車が、一方側副下枠の延出面部上面から主下枠の戸車案内部、他方側副下枠の延出面部上面へ転動して、連結装置上を通過することとなる。従って、主下枠の戸車案内部がサッシ下枠まで延びて設けられていなくても、副下枠の延出面部上面を戸車が転動するので、一方側のサッシから他方側へ雨戸をスムーズに移動させることができる。
また、副下枠の延出面部とサッシ下枠とが固定されるので、例えば、これらを互いにねじ止め固定するように構成すれば、当該連結装置のサッシの下枠への固定が容易に実施でき、取付作業の作業性をさらに向上させることができる。
【０００９】
一方、本発明の雨戸付き連窓サッシは、建物の支持材両側に設けられるサッシと、これらのサッシに跨って走行可能に構成された雨戸とを備えた雨戸付き連窓サッシであって、前記両側のサッシの下枠間には、当該下枠同士を連結するとともに、前記雨戸を案内する連結装置が設けられ、前記連結装置は、前記躯体の外側で前記雨戸の走行経路上に設けられた主下枠と、この主下枠の上側において前記雨戸の走行方向に沿ってスライド自在に取り付けられた２つの副下枠と、これら２つの副下枠に対応して前記主下枠の下側に取り付けられた２つの裏板材とを備え、前記主下枠には、前記雨戸の戸車を案内する戸車案内部が設けられ、この戸車案内部は、前記走行方向について、前記サッシの下枠側にスライドさせた前記２つの副下枠同士の間隔距離よりも長く形成され、前記２つの副下枠は、前記サッシの下枠の上側に重なって延び、当該サッシの下枠に固定される延出面部を有し、この延出面部の上面に沿って前記雨戸の戸車が転動可能に構成され、前記裏板材は、前記副下枠のスライドに伴ってスライド可能で、かつ前記サッシ同士の間隔部分を通過可能な初期位置から、当該サッシの下枠の下側に重なる位置に向かって回動可能に構成され、前記副下枠の延出面部、前記サッシの下枠、および前記裏板材をねじ止めすることで、前記連結装置が前記サッシの下枠に固定されるように構成されていてもよい。
【００１０】
このような本発明によれば、連結装置を取り付ける際に、サッシ下枠間において副下枠をスライドさせて位置決めし、これに続いて裏板材をサッシ下枠の下側に向かって回動させ、これらの副下枠の延出面部、サッシ下枠、および裏板材をねじ止めする、という一連の手順によって効率よく取付作業を実施することができ、さらに作業性を向上させることができる。すなわち、従来の連窓サッシでは、別体の裏板を用意し、この裏板をサッシ下枠の下方から当てがって、人手で保持した状態でねじ止めしなければならず、作業手間が掛かる。これに対して、本発明の裏板材は主下枠の下側にスライドおよび回動可能に取り付けられているので、連結装置をサッシ下枠間にセットする際には、邪魔にならない位置に回動させておき、副下枠の位置決め後に回動させて、ねじ止め固定することができるので手間を掛けずに取付作業を実施することができる。
【００１１】
さらに、本発明の雨戸付き連窓サッシでは、前記サッシの下枠には、戸車案内用のレールが立設されており、前記連結装置の主下枠に設けられた戸車案内部は、前記レールと同一直線上で、かつ、略同一形状に形成され、前記副下枠の延出面部は、前記レールの当該連結装置側の端縁位置よりも前記サッシの内部側まで延出されていることを特徴とする。
このような構成では、主下枠の戸車案内部がサッシ下枠に設けられた戸車ガイド用のレールと同一直線上で、かつ略同一形状に形成されていることで、雨戸の戸車をよりスムーズに移動させることができる。すなわち、従来の連結装置では、レール部材が見込み方向に重なった２つの補助レールから構成されているため、補助レール同士に段差があり、またサッシ側のレールとの目違いが生じやすく、雨戸走行時にがたつきや音が発生する可能性があるが、本発明によればこのような段差や目違いを生じないようにできる。
また、通常、レールに案内される戸車の形状は、レールに噛み合うように外周面が凹溝状に形成されており、この凹溝の深さ寸法分だけ、副下枠の延出面部上面をレールの上端より下方に設ければ、レール上および延出面部上面のいずれの位置においても、戸車の高さ位置が変わらず、これらの間を通過する際の上下方向のがたつきをも防止することができる。
【００１２】
また、本発明の雨戸付き連窓サッシでは、前記連結装置の主下枠は、前記サッシの下枠の下側に重なるだけの見付け方向長さ寸法を有し、このサッシの下枠との重なり部分に前記走行方向に沿った長孔が設けられていることを特徴とする。このような構成では、主下枠をサッシ下枠の下側に重ねて配置し、この重なり部分に長孔を設けたことで、長孔に沿った任意の位置でサッシ下枠に主下枠をねじ止め固定することができ、副下枠のスライドと合わせて、サッシ同士の間隔距離が異なる場合に対応することができる。また、主下枠をサッシ下枠に固定することで、連結装置の取付強度を高めることができる。
【００１３】
また、本発明の雨戸付き連窓サッシでは、前記連結装置の主下枠および副下枠のうちの少なくとも一方には、前記支持材に向かって延出し、当該支持材に固定される固定部が設けられていることを特徴とする。
このような構成では、主下枠や副下枠から延出した固定部を柱等の支持材に固定することで、これらの主下枠や副下枠をより強固に取り付けることができる。また、固定部を面状に形成すれば、主下枠や副下枠と支持材との隙間を塞ぐことができるので、別途カバー材等を用意する必要がなく、部品点数を削減できるとともに、この隙間部分からの雨水等の浸入も防止することができる。
【００１４】
また、本発明の雨戸付き連窓サッシに用いられる連結装置は、以下のような構成を備えることが望ましい。
すなわち、建物の支持材両側に設けられるサッシの下枠同士を連結し、各サッシに跨って走行可能に構成された雨戸を案内する連結装置であって、支持材外側で雨戸の走行経路上に設けられた主下枠と、この主下枠の上側において雨戸の走行方向に沿ってスライド自在に取り付けられた２つの副下枠とを備え、主下枠には、雨戸の戸車を案内する戸車案内部が設けられ、この戸車案内部は、走行方向について、両側に最大限までスライドさせた状態の２つの副下枠の間隔距離よりも長い長さ寸法を有していることが望ましい。
このような連結装置において、２つの副下枠は、サッシの下枠の上側に重なって延び、かつサッシの下枠に固定される延出面部を有し、この延出面部の上面に沿って雨戸の戸車が転動可能に構成されていることが望ましい。
さらに、このような連結装置において、主下枠の戸車案内部は、サッシの下枠に立設された戸車案内用のレールと同一直線上で、かつ、略同一形状に形成され、副下枠は、延出面部がレールと見込み方向に重なる位置までスライド可能に構成されていることが望ましい。
さらに、このような連結装置において、主下枠の下側には、２つの副下枠に対応した２つの裏板材が取り付けられており、これらの裏板材は、副下枠のスライドに伴ってスライド可能で、かつサッシ同士の間隔部分を通過可能な初期位置から、サッシの下枠の下側に重なる位置に向かって回動可能に構成され、副下枠の延出面部、サッシの下枠、および裏板材をねじ止めすることでサッシの下枠に固定されることが望ましい。
さらに、このような連結装置において、主下枠および副下枠のうちの少なくとも一方には、建物の支持材に向かって延出し、支持材に固定される固定部が設けられていることが望ましい。
【００１５】
【発明の実施の形態】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。また、各図においては、主要構成部品の断面を示すハッチングが省略されている。
【００１６】
〔第１実施形態〕
本発明の第１実施形態に係る雨戸付き連窓サッシについて、図１ないし図５に基づいて説明する。
図１および図２は、連窓サッシの横断面図および縦断面図であり、図２は、図１に矢視ＩＩ−ＩＩ線で示す縦断面図である。図３ないし図５は、それぞれ連窓サッシに設けられる連結装置を示す縦断面図、分解斜視図、および下方から見た斜視図である。
【００１７】
連窓サッシは、図１、２に示すように、例えば、住宅等の外壁面において、支持材としての柱１を挟んで両側に設けられた窓サッシ２で構成されている。窓サッシ２は、アルミ製押出形材からなる上枠３、下枠４、および左右の縦枠５を四周枠組みして形成されており、柱１等にビス止めにより固定されている。この窓サッシ２には、図示を省略するが、引き違い形式の障子が取り付けられており、これらの障子を窓サッシ２内で移動させることで開閉可能な引き違い窓が構成されている。また、障子の室外側には、窓サッシ２の上枠３および下枠４に設けられた雨戸案内部３Ａ，４Ａに案内されて、見付け方向（図１中、左右方向）に移動可能に構成された雨戸６が設けられている。この雨戸６は、両側の窓サッシ２に跨って移動可能で、左右いずれかの窓サッシ２に隣接して設けられた戸袋（不図示）に収納されるようになっている。
【００１８】
下枠４に設けられた雨戸案内部４Ａは、下枠４の室内側部分よりも一段下がった位置に形成され、雨戸６の下端部を囲む断面略凹字形状に形成されている。この雨戸案内部４Ａの底面上側には、雨戸６を案内するレール４Ｂが見付け方向に沿って立設されている。雨戸６は、その下部２箇所に取り付けられた戸車６Ａ（図３）がレール４Ｂ上を転動することで、雨戸案内部４Ａ内をスムーズに移動できるようになっている。すなわち、戸車６Ａは、全体円盤状で、回転可能に雨戸６の下框に取り付けられ、その外周面６Ｂに凹溝６Ｃが形成されており、この凹溝６Ｃがレール４Ｂに係合することで、レール４Ｂからずれることなく転動可能になっている。さらに、雨戸６の縦框下端には、切欠き溝６Ｄ（図３）が形成されており、この切欠き溝６Ｄもレール４Ｂに係合することで、雨戸６がレール４Ｂから外れないようになっている。
【００１９】
柱１の両側に設けられた窓サッシ２の下枠４同士は連結装置１０で連結されている。この、連結装置１０は、柱１の室外側前方で、両側の窓サッシ２の下枠４同士の間隔部分に配置される主下枠１１と、この主下枠１１の上側で見付け方向両側に取り付けられた２つの副下枠１２とを備えて構成されている。一方、連結装置１０の上方で窓サッシ２の上枠３同士を連結する位置には、図２に示すように、連結上枠７が上枠２に跨って取り付けられている。この連結上枠７は、雨戸６の上端部を囲んで、雨戸６が見込み方向にずれないようにする雨戸案内部７Ａを有し、柱１側に延出した上面端部が柱１にビス７Ｂで固定されている。さらに、図示を省略するが、柱１の室外側前面には、縦枠５同士を連結するとともに、適宜な防水処理が施された目板が取り付けられている。
【００２０】
連結装置１０の主下枠１１および副下枠１２は、それぞれアルミ製押出形材から形成され、適宜穴開けや切削等の加工が施されている。また、２つの副下枠１２は、それぞれ主下枠１１に対して、見付け方向にスライド自在に取り付けられており、これらの副下枠１２を下枠４に向かってスライド（位置調節）することで、柱１の幅寸法、すなわち、下枠４同士の間隔距離が異なる場合でも、共通の連結装置１０を採用できるようになっている。
【００２１】
主下枠１１および副下枠１２は、図３〜５に示すように、雨戸６を案内する断面略凹字形の雨戸案内部１１１，１２１を有している。そして、主下枠１１の雨戸案内部１１１の上側に副下枠１２の雨戸案内部１２１が重なって配置されている。また、主下枠１１の雨戸案内部１１１底面には、見付け方向に長く形成された長孔１１２が設けられ、副下枠１２の雨戸案内部１２１底面には、挿通孔１２２が設けられている。これらの挿通孔１２２および長孔１１２には、上方からビス１４が挿通されており、このビス１４の先端側は、副下枠１２に対応した２つの裏板材１３のビス孔１３１に螺合されている。これらの裏板材１３およびビス１４により、主下枠１１および副下枠１２が互いに取り付けられるとともに、副下枠１２が主下枠１１に対して長孔１１２に沿ってスライド可能に構成される。
【００２２】
主下枠１１の雨戸案内部１１１の室外側立上がり部分上端には、室内側に向かって折り返された折返し部１１１Ａが形成され、この折返し部１１１Ａに対応する副下枠１２の室外側立上がり部分上端には、折返し部１２１Ａが形成されている。これらの折返し部１１１Ａ，１２１Ａは、互いに隙間なく密接して、副下枠１２のスライド時において、副下枠１２が主下枠１１に対してがたつかず、見付け方向にスムーズにスライドできるようになっている。また、主下枠１１の雨戸案内部１１１の室外側立上がり部分下側には、見付け方向に沿った溝状部１１１Ｂが形成され、雨戸案内部１１１の底面室内側には、見付け方向に沿ったガイド部１１１Ｃが形成されている。これらの溝状部１１１Ｂおよびガイド部１１１Ｃに対応して副下枠１２には、垂下片１２１Ｂおよびガイド片１２１Ｃが形成されている。これらの溝状部１１１Ｂおよび垂下片１２１Ｂと、ガイド部１１１Ｃおよびガイド片１２１Ｃとが、互いに摺動自在に係合することで、上述と同様に、副下枠１２がスムーズにスライドできるようになっている。
【００２３】
主下枠１１の雨戸案内部１１１底面上側には、見付け方向に沿って延び、下枠４に設けられたレール４Ｂと同一直線上で、かつ略同一形状に形成された戸車案内部としてのレール１１３が立設されている。また、２つの副下枠１２の対向側端部には、主下枠１１のレール１１３と嵌合する嵌合溝１２３が形成されている。この嵌合溝１２３は、レール１１３の見込み方向幅寸法より若干広い幅寸法、および副下枠１２のスライド時にレール１１３から外れないだけの見付け方向寸法を有している。すなわち、２つの副下枠１２を互いに最も離れる位置までスライドした状態において、嵌合溝１２３がレール１１３から外れないようになっている。
【００２４】
副下枠１２の嵌合溝１２３と反対側で窓サッシ２の下枠４側には、下枠４の雨戸案内部４Ａの底面上側に重なって延出する延出面部１２４が形成されている。この延出面部１２４は、雨戸案内部１２１の底面を延長した板状に形成され、下枠４の雨戸案内部４Ａの見込み方向に渡る幅寸法を有している。また、延出面部１２４および雨戸案内部１２１底面は、図３に示すように、それらの上面に戸車６Ａの外周面６Ｂが接触した状態で、戸車６Ａが転動できるようになっている。すなわち、戸車６Ａの凹溝６Ｃがレール４Ｂ，１１３に係合して転動する状態と、延出面部１２４および雨戸案内部１２１底面の上面を転動する状態とで、戸車６Ａの高さ位置が変化しないようになっている。
【００２５】
また、延出面部１２４の下枠４側先端には、雨戸案内部４Ａのレール４Ｂと嵌合する嵌合溝１２５が形成されている。この嵌合溝１２５は、レール４Ｂの見込み方向幅寸法より若干広い幅寸法、および奥側にレール４Ｂが当接することで副下枠１２を位置決め可能な見付け方向寸法を有している。さらに、延出面部１２４には、上方からビス１５を挿通可能な挿通孔１２６が設けられており、この挿通孔１２６に対応した窓サッシ２の下枠４にも図示しない挿通孔が設けられている。そして、ビス１５の先端は、裏板材１３に設けられたビス孔１３２に螺合可能になっており、ビス孔１３２にビス１５を締め付けることで、副下枠１２が下枠４に固定されるようになっている。
【００２６】
裏板材１３は、図４に示すように、主下枠１１の下側において、ビス１４を中心として水平方向に回動可能に構成されており、下枠４の下側に回動された状態でビス孔１３２が挿通孔１２６の下方に位置するようになっている。また、主下枠１１の雨戸案内部１１１底面下側には、見付け方向に沿った垂下片１１４が形成されており、裏板材１３を回動した際に、裏板材１３の側面が垂下片１１４に当接することで、裏板材１３の回動動作を規制し、位置決めできるようになっている。
【００２７】
主下枠１１および副下枠１２の室内側には、それぞれの雨戸案内部１１１，１２１の室内側立上がり部分上端から柱１に向かって延びる固定部１１５，１２７が設けられている。主下枠１１の固定部１１５は、柱１の室外側側面に沿って上方に折り曲げられた折曲げ部１１５Ａを有している。また、副下枠１２の固定部１２７は、主下枠１１の固定部１１５の上面に沿って延び、主下枠１１の折曲げ部１１５Ａの室外側に沿って上方に折り曲げられた折曲げ部１２７Ａを有している。これらの折曲げ部１１５Ａ，１２７Ａを貫通するビス１６によって、主下枠１１および副下枠１２が柱１に固定されている。また、主下枠１１の固定部１１５および副下枠１２の固定部１２７の間には、防水材としてのシーリング材１７が介挿され、これらの主下枠１１および副下枠１２の隙間から室内側への雨水等の浸入を防止できるようになっている。
【００２８】
次に、以上の構成を備える連結装置１０の取付手順について説明する。
先ず、主下枠１１の上側から副下枠１２を、下側から裏板材１３をセットし、ビス１４を挿通孔１２２および長孔１１２に挿通し、裏板材１３のビス孔１３１に螺合して、これらの主下枠１１、副下枠１２、および裏板材１３を一体に組み立てる。このように組み立てた状態の連結装置１０を取付現場に搬入し、柱１の前方で、窓サッシ２の下枠４同士の間に上方からセットする。この際、裏板材１３は、下枠４にぶつかって邪魔にならないように、柱１側に向かって回動させておく。
【００２９】
次に、副下枠１２を主下枠１１に対して見付け方向左右に開くようにスライドさせ、副下枠１２の延出面部１２４を下枠４の雨戸案内部４Ａに沿って、嵌合溝１２５がレール４Ｂに嵌合するまで移動させて、副下枠１２の位置決めを実施する。これに続いて、裏板材１３を垂下片１１４に当接するまで下枠４の側に回動するとともに、ビス１５を副下枠１２の挿通孔１２６上方から挿入し、下枠４の挿通孔を通して、裏板材１３のビス孔１３２に螺合させて締め付ける。さらに、ビス１４を裏板材１３のビス孔１３１に対して締め付けて、主下枠１１および副下枠１２間に押圧力を生じさせ、主下枠１１が容易に移動しないようにする。
【００３０】
次に、主下枠１１および副下枠１２の固定部１１５，１２７の折曲げ部１１５Ａ，１２７Ａを貫通して、ビス１６を柱１にねじ込み、締め付けることで、主下枠１１および副下枠１２を柱１に強固に固定する。この際、シーリング材１７は、主下枠１１および副下枠１２の組立時に固定部１１５，１２７間に介挿してもよく、また、ビス１４，１５，１６の締め付け前に固定部１１５，１２７間に介挿してもよい。さらに、適宜、副下枠１２と縦枠５との間などに防水処理を施して、連結装置１０の取り付けが完了する。
【００３１】
以上のように取り付けられた連結装置１０では、開閉時において雨戸６が通過する際に、一方側の下枠４のレール４Ｂ上を転動してきた戸車６Ａが上下の段差なく、一方側の副下枠１２の延出面部１２４の上面に乗り移る。すなわち、戸車６Ａの凹溝６Ｃがレール４Ｂに係合した状態と、戸車６Ａの外周面６Ｂが延出面部１２４の上面を転動する状態とで、戸車６Ａの高さ位置が変化しないため、戸車６Ａはスムーズに延出面部１２４の上面に乗り移ることができる。この際、雨戸６の縦框に形成された切欠き溝６Ｄがレール４Ｂや主下枠１１のレール１１３に係合することで、雨戸６の見込み方向への移動が規制され、戸車６Ａがレール４Ｂの延長線上からずれないようになっている。
【００３２】
副下枠１２の延出面部１２４の上面を転動した戸車６Ａは、さらに副下枠１２の雨戸案内部１２１の底面上側を転動し、主下枠１１のレール１１３に乗り移ることとなる。この際も、前述と同様に、戸車６Ａはスムーズにレール１１３上に乗り移ることができるようになっている。そして、次に他方側の副下枠１２の雨戸案内部１２１および延出面部１２４の上面を転動した後に、戸車６Ａが、他方側の下枠４のレール４Ｂに乗り移り、このレール４Ｂ上を転動することとなる。このようにして、雨戸６が一方側から他方側、または他方側から一方側へ連結装置１０の上側を通過して、開閉されるようになっている。
【００３３】
次に、本実施形態の変形例に係る連結装置１０について、図６および図７に基づいて説明する。図６、７に示した連結装置１０では、裏板材の形態が前述の裏板材１３と相違している。
図６は、変形例に係る裏板材１３Ａを有した連結装置１０を示す縦断面図であり、図７は、裏板材１３Ａを示す斜視図である。
【００３４】
図６、７において、裏板材１３Ａは、全体略Ｌ字形状に形成され、Ｌ字形の折れ曲がり部分に沿って折れ曲がった長孔１３１Ａを有している。この長孔１３１Ａに、副下枠１２および主下枠１１を貫通したビス１４が挿通され、このビス１４にナット１４Ａが螺合している。このナット１４Ａは、裏板材１３Ａが落下しない程度に緩く締められており、裏板材１３Ａは、ナット１４Ａと主下枠１１の底面との間で、長孔１３１Ａに沿って垂直方向に回動可能に取り付けられている。そして、副下枠１２を位置決めした状態で、裏板材１３Ａを回動して、裏板材１３Ａのビス孔１３２Ａを副下枠１２の挿通孔１２６（図４）下方に合わせ、ビス１５（図４）をビス孔１３２Ａに螺合することで、副下枠１２が下枠４に固定されるようになっている。さらに、ビス１４とナット１４Ａとを締め付けて、裏板材１３Ａと副下枠１２とで主下枠１１を挟み込むことで、主下枠１１および副下枠１２を固定できるようになっている。
【００３５】
このような本実施形態によれば、次のような効果がある。
（１）  主下枠１１、２つの副下枠１２、および裏板材１３を一体に組み立てた状態で窓サッシ２の下枠４間にセットし、副下枠１２をスライドさせて位置決めして、連結装置１０を取り付けることができるので、取り付け前に分解する必要がなく、一体に組み立てられた状態のままで取付作業を実施することができ、取付作業の作業性を向上させることができる。
【００３６】
（２）  また、副下枠１２の延出面部１２４と窓サッシ２の下枠４とが、ビス１５および裏板材１３の螺合により固定されるので、連結装置１０の下枠４への固定が容易に実施でき、取付作業の作業性をさらに向上させることができる。
【００３７】
（３）  この際、裏板材１３を窓サッシ２の下枠４側に回動させ、副下枠１２の延出面部１２４、下枠４、および裏板材１３をねじ止めする、という一連の手順によって効率よく取付作業を実施することができるので、裏板材１３を下枠４の下方から当てがったり、人手で保持したりする必要がなく、手間を掛けずに取付作業を実施することができる。
【００３８】
（４）  また、副下枠１２が、主下枠１１のレール１１３、折返し部１１１Ａ、溝状部１１１Ｂ、およびガイド部１１１Ｃに案内されて、見付け方向にスライドされるので、副下枠１２の位置決めをスムーズに実行することができ、さらに効率よく取付作業を実施することができる。
【００３９】
（５）  また、主下枠１１のレール１１３が窓サッシ２の下枠４に設けられたレール４Ｂと同一直線上で、かつ略同一形状に形成されていることで、レール４Ｂ，１１３同士に見込み方向の段差がなく、また目違いが生じないようにでき、雨戸６の戸車６Ａをスムーズに移動させることができる。さらに、レール４Ｂ，１１３同士に目違いが生じないことで、雨戸案内部４Ａ，１１１，１２１の清掃の際に、ほうき等の先が引っ掛かることがなく、清掃作業を実施しやすくすることができる。
【００４０】
（６）  さらに、戸車６Ａの凹溝６Ｃがレール４Ｂ，１１３に係合して転動する状態と、延出面部１２４および雨戸案内部１２１底面の上面を転動する状態とで、戸車６Ａの高さ位置が変化しないようになっているので、これらの間を戸車６Ａが通過する際の上下方向のがたつきを防止して、雨戸６をスムーズに案内することができる。
【００４１】
（７）  また、主下枠１１および副下枠１２から柱１に向かって延出した固定部１１５，１２７を、柱１にビス１６で固定することで、主下枠１１および副下枠１２をより強固に取り付けることができる。また、固定部１１５，１２７が上下に重なって、それらの間にシーリング材１７が介挿されているので、柱１の室外側を隙間なく塞ぐことができ、別途カバー材等を用意する必要がなく、部品点数を削減できるとともに、この部分からの雨水等の浸入も防止することができる。
【００４２】
〔第２実施形態〕
次に、本発明の第２実施形態を図８ないし図１０に基づいて説明する。
図８は、第２実施形態の連結装置２０が設けられた連窓の横断面図である。図９および図１０は、それぞれ連結装置２０を示す斜視図、および縦断面図である。本実施形態の連結装置２０では、柱１に固定される固定部を有していない点が前述の第１実施形態と相違し、その他の構成は略同様である。以下、相違点について詳しく説明する。
【００４３】
図８ないし図１０において、連結装置２０は、主下枠２１と、２つの副下枠２２と、裏板材２３とを備えて構成されている。主下枠２１および副下枠２２は、雨戸６を案内する断面略凹字形の雨戸案内部２１１，２２１を有しており、主下枠２１の雨戸案内部２１１の上側に副下枠２２の雨戸案内部２２１が重なって配置されている。また、主下枠２１の雨戸案内部２１１底面には、見付け方向に長く形成された長孔２１２が設けられ、副下枠２２の雨戸案内部２２１底面には、挿通孔２２２が設けられている。これらの挿通孔２２２および長孔２１２には、上方からビス２４が挿通されており、このビス２４の先端側は、裏板材２３のビス孔（不図示）に螺合されている。これらの裏板材２３およびビス２４により、主下枠２１および副下枠２２が互いに取り付けられるとともに、副下枠２２が主下枠２１に対して長孔２１２に沿ってスライド可能に構成される。
【００４４】
主下枠２１の雨戸案内部２１１には、前述の第１実施形態と同様に、室外側立上がり部分上端の折返し部２１１Ａ、および室外側立上がり部分下側の溝状部２１１Ｂが形成されている。また、これらに対応して、副下枠２２の雨戸案内部２２１には、折返し部２２１Ａおよび垂下片２２１Ｂが形成されており、副下枠２２のスライド時において、副下枠２２が主下枠２１に沿って案内されるようになっている。また、主下枠２１の雨戸案内部２１１の室内側には、見付け方向に沿って副下枠２２側に突出する突片部２１１Ｃが形成されている。この突片部２１１Ｃに対応して副下枠２２には、ガイド孔２２１Ｃが形成されており、このガイド孔２２１Ｃに突片部２１１Ｃを挿通することで、副下枠２２が主下枠２１に沿って案内される。さらに、これらの突片部２１１Ｃおよびガイド孔２２１Ｃが係合することで、主下枠２１および副下枠２２の上下方向あるいは見込み方向についての連結強度が確保できるようになっている。また、副下枠２２の雨戸案内部２２１には、窓サッシ２の縦枠５に設けられた突片５Ａに係合する係合片２２１Ｄが形成され、この係合片２２１Ｄおよび突片５Ａの係合により、副下枠２２が見込み方向にがたつかないようになっている。
【００４５】
主下枠２１の雨戸案内部２１１底面上側には、戸車案内部としてのレール２１３が立設されており、２つの副下枠２２の対向側端部には、レール２１３と嵌合する嵌合溝２２３が形成されている。この嵌合溝２２３は、２つの副下枠２２を互いに最も離れる位置までスライドした状態において、レール２１３から外れないようになっている。また、副下枠２２の嵌合溝２２３と反対側で窓サッシ２の下枠４側には、延出面部２２４が形成されている。この延出面部２２４の上面は、前述の第１実施形態と同様に、戸車６Ａの外周面６Ｂが接触した状態で、戸車６Ａが転動できるようになっている。そして、延出面部２２４の下枠４側先端には、レール４Ｂと嵌合する嵌合溝２２５が形成されている。さらに、延出面部２２４には、上方からビス２５を挿通可能な挿通孔２２６が２箇所に設けられており、この挿通孔２２６に対応した窓サッシ２の下枠４にも図示しない挿通孔が設けられている。そして、ビス２５の先端は、裏板材１３に設けられたビス孔（不図示）に螺合可能であり、ビス孔にビス２５を締め付けることで、副下枠２２が下枠４に固定されるようになっている。
【００４６】
次に、以上の構成を備える連結装置２０の取付手順について説明する。
前述の第１実施形態と同様に、先ず、主下枠２１、副下枠２２、および裏板材２３をビス２４により一体に組み立て、この組み立てた状態の連結装置２０を窓サッシ２の下枠４同士の間に上方からセットする。次に、副下枠２２を主下枠２１に対して見付け方向左右に開くようにスライドさせ、嵌合溝２２５がレール４Ｂに嵌合し、係合片２２１Ｄが縦枠５の突片５Ａに係合するまで移動させて、副下枠２２の位置決めする。これに続いて、裏板材１３を回動するとともに、ビス２５を副下枠２２の挿通孔２２６上方から挿入し、下枠４の挿通孔を通して、裏板材１３に螺合させて締め付ける。さらに、ビス２４を裏板材２３に対して締め付けて、主下枠２１および副下枠２２間に押圧力を生じさせ、主下枠２１が容易に移動しないようにする。以上により、連結装置２０の取り付けが完了する。
【００４７】
このような本実施形態によれば、前述の（１）〜（６）の効果と略同様の効果を得られるとともに、次のような効果がある。
（８）  主下枠２１および副下枠２２を柱１に固定しないので、連結装置２０を窓サッシ２の下枠４間に取り付ける以前に、柱１の室外側前面に目板等を連結装置２０と干渉することなく容易に取り付けることができるので、連窓全体の施工を効率的に実施できる。
【００４８】
（９）  この際、主下枠２１の突片部２１１Ｃと副下枠２２のガイド孔２２１Ｃとが係合することで、柱１に固定されていなくても、主下枠２１および副下枠２２の上下方向あるいは見込み方向についての連結強度が確保できる。また、副下枠２２の係合片２２１Ｄが、窓サッシ２の縦枠５に設けられた突片５Ａに係合することで、副下枠２２および主下枠２１が見込み方向にがたつかず、これらを確実に取り付けることができる。
【００４９】
〔第３実施形態〕
次に、本発明の第３実施形態を図１１に基づいて説明する。
図１１は、第３実施形態の連結装置３０が設けられた連窓の横断面図である。本実施形態の連結装置３０では、前述の第２実施形態と同様に、柱１に固定される固定部を有していない点が前述の第１実施形態と相違する。また、主下枠および副下枠の形態および取付手順が、前述の第２実施形態と相違し、その他の構成は略同様である。以下、相違点について詳しく説明する。
【００５０】
図１１において、連結装置３０は、主下枠３１と、２つの副下枠３２と、裏板材（不図示）とを備えて構成されている。主下枠３１は、両側の窓サッシ２の下枠４に跨って配置されるだけの見付け方向長さ寸法を有し、下枠４の下側に配置されている。主下枠３１および副下枠３２は、雨戸（図２、３）を案内する断面略凹字形の雨戸案内部３１１，３２１を有しており、主下枠３１の雨戸案内部３１１の上側に副下枠３２の雨戸案内部３２１が重なって配置されている。また、主下枠３１の雨戸案内部３１１底面には、見付け方向に長く形成された長孔３１２が設けられており、この長孔３１２と副下枠３２の雨戸案内部３２１底面に設けられた挿通孔（不図示）とに、上方から挿通されるビス３４が裏板材に螺合されている。これらの裏板材およびビス３４により、主下枠３１および副下枠３２が互いに取り付けられるとともに、副下枠３２が主下枠３１に対して長孔３１２に沿ってスライド可能に構成される。
【００５１】
主下枠３１の雨戸案内部３１１には、前述の第２実施形態と同様に、室外側立上がり部分上端の折返し部３１１Ａ、室外側立上がり部分下側の溝状部（不図示）、および室内側立上がり部分の突片部３１１Ｃが形成されている。これら主下枠３１の折返し部３１１Ａおよび溝状部は、窓サッシ２の下枠４の室外側前面を囲んで設けられている。また、これらに対応して、副下枠３２の雨戸案内部３２１には、折返し部（不図示）、垂下片（不図示）、およびガイド孔３２１Ｃが形成されており、副下枠３２のスライド時において、副下枠３２が主下枠３１に沿って案内されるようになっている。さらに、主下枠の突片部３１１Ｃと副下枠３２のガイド孔３２１Ｃが係合することで、主下枠３１および副下枠３２の上下方向あるいは見込み方向についての連結強度が確保できるようになっている。また、副下枠３２には、窓サッシ２の縦枠５に設けられた突片５Ａに係合する係合片３２１Ｄが形成され、この係合片３２１Ｄおよび突片５Ａの係合により、副下枠３２が見込み方向にがたつかないようになっている。
【００５２】
主下枠３１の雨戸案内部３１１底面上側には、戸車案内部としてのレール３１３が立設されており、２つの副下枠３２の対向側端部には、レール３１３と嵌合する嵌合溝３２３が形成されている。この嵌合溝３２３は、２つの副下枠３２を互いに最も離れる位置までスライドした状態において、レール３１３から外れないようになっている。また、副下枠２２の嵌合溝２２３と反対側縁は、窓サッシ２の下枠４の端縁と当接され、雨戸案内部３２１の底面と下枠４の雨戸案内部４Ａの底面とは、互いに略同一レベルで連続するようになっている。すなわち、これらの下枠４および副下枠３２の雨戸案内部４Ａ，３２１底面上を、戸車６Ａが転動できるようになっている。そして、図示を省略するが、下枠４には、上方からビス３５を挿通可能な挿通孔が２箇所に設けられ、主下枠３１には、長孔が設けられており、この挿通孔および長孔を挿通したビス３５の先端を裏板材に螺合し、締め付けることで、主下枠３１および副下枠３２が下枠４に固定されるようになっている。
【００５３】
次に、以上の構成を備える連結装置３０の取付手順について説明する。
前述の各実施形態と同様に、先ず、主下枠３１、副下枠３２、および裏板材をビス３４により一体に組み立て、この組み立てた状態の連結装置３０を窓サッシ２の下枠４同士の間に下方からセットする。次に、副下枠３２を主下枠３１に対して見付け方向左右に開くようにスライドさせ、係合片３２１Ｄが縦枠５の突片５Ａに係合するまで移動させて、副下枠３２の位置決めを実施する。これに続いて、裏板材を回動するとともに、ビス３５を下枠４の挿通孔上方から挿入し、主下枠３１の長孔を通して、裏板材に螺合させて締め付ける。さらに、ビス３４を裏板材に対して締め付けて、主下枠３１および副下枠３２間に押圧力を生じさせ、主下枠３１および副下枠３２が容易にずれないようにする。以上により、連結装置３０の取り付けが完了する。
【００５４】
このような本実施形態によれば、前述の（１）〜（５）、（８）、（９）の効果と略同様の効果を得られるとともに、次のような効果がある。
（１０）  主下枠３１を窓サッシ２の下枠４に跨って配置し、主下枠３１の折返し部３１１Ａおよび溝状部で下枠４の室外側前面を囲むことで、連結部分における下枠４および主下枠３１の外観を連続的に構成できるので、意匠性を向上させることができる。
【００５５】
なお、本発明を実施するための最良の構成、方法などは、以上の記載で開示されているが、本発明は、これに限定されるものではない。
すなわち、本発明は、主に特定の実施の形態に関して特に図示され、かつ、説明されているが、以上述べた実施の形態に対し、本発明の技術的思想および目的の範囲から逸脱することなく、形状、材質、数量、その他の詳細な構成において、当業者が様々な変形を加えることができる。
【００５６】
例えば、前述の各実施形態では、連窓サッシが住宅の外壁面に設けられるものとしたが、これに限らず、住宅以外の建物や工作物等に取り付けられてもよく、また、外壁以外に設けられる窓であってもよい。また、支持材としては、柱１に限らず、壁や方立等であってもよい。
【００５７】
また、前述の各実施形態では、雨戸６の戸車６Ａが下枠４のレール４Ｂ上を転動するものとしたが、これに限らず、レールを有さない断面凹字形の、いわゆるドブ溝形式の雨戸案内部に案内されて、開閉移動するものであってもよい。この際、連結装置１０，２０，３０の戸車案内部としては、レール状のものに限らず、その上端面が、副下枠１２，２２，３２の雨戸案内部１２１，２２１，３２１底面上側と略同一レベルで、平坦になるような形状を有したものが採用できる。このようにすることで、副下枠１２，２２，３２の雨戸案内部１２１，２２１，３２１を転動してきた戸車が、スムーズに主下枠の戸車案内部に乗り移ることができ、雨戸を円滑に案内できる。
【００５８】
また、前述の各実施形態では、窓サッシ２の下枠４に裏板材１３，１３Ａ，２３を介して、副下枠１２，２２の延出面部１２４，２２４、あるいは主下枠３１をビス１５，２５，３５で固定したが、これに限らず、裏板材を介さずに副下枠の延出面部、あるいは主下枠を直接下枠にビス止め固定してもよい。また、これらの固定方法は、ビス止めに限らず、係合フックやばね等を用いた嵌合形式による固定方法としてもよい。このようにすれば、ビス止め作業を省略できるので、さらに一層、取付作業の作業性を向上させることができる。
また、前述の各実施形態では、裏板材１３，１３Ａ，２３を回動可能に連結装置１０，２０，３０に取り付けたが、これに限らず、裏板材を連結装置と別体としてもよい。
【００５９】
【発明の効果】
以上に述べたように、本発明の雨戸付き連窓サッシによれば、下枠連結作業の作業性向上を図ることができるという効果がある。
【図面の簡単な説明】
【図１】本発明の第１実施形態に係る連窓サッシの横断面図である。
【図２】図１に矢視ＩＩ−ＩＩ線で示す縦断面図である。
【図３】前記連窓サッシに設けられる連結装置を示す縦断面図である。
【図４】前記連結装置を示す分解斜視図である。
【図５】前記連結装置を示す下方から見た斜視図である。
【図６】前記連結装置の変形例を示す縦断面図である。
【図７】前記連結装置の変形例の要部を示す斜視図である。
【図８】本発明の第２実施形態に係る連窓サッシの横断面図である。
【図９】前記連窓サッシに設けられる連結装置の一部を示す斜視図である。
【図１０】前記連結装置を示す縦断面図である。
【図１１】本発明の第３実施形態に係る連窓サッシの横断面図である。
【符号の説明】
１…支持材である柱、２…窓サッシ、４…下枠、４Ｂ…レール、６…戸である雨戸、６Ａ…戸車、１０，２０，３０…連結装置、１１，２１，３１…主下枠、１２，２２，３２…副下枠、１３，１３Ａ，２３…裏板材、１１３，２１３，３１３…戸車案内部であるレール、１１５，１２７…固定部、１２４，２２４…延出面部。
【図１】
2004293250.tif 000003
【図２】
2004293250.tif 000004
【図３】
2004293250.tif 000005
【図４】
2004293250.tif 000006
【図５】
2004293250.tif 000007
【図６】
2004293250.tif 000008
【図７】
2004293250.tif 000009
【図８】
2004293250.tif 000010
【図９】
2004293250.tif 000011
【図１０】
2004293250.tif 000012
【図１１】
2004293250.tif 000013